(57)【要約】
【課題】外張断熱建築物の断熱材或いは屋根材、外装材に対する耐荷重性と耐震性があり、熱損失の少ない結露による損傷を防止する壁材保持具、屋根材保持具の従来技術の改良に関わり、更なる耐久性の向上が期待される保持具を提供することである。
【解決手段】平板に、同一面方向に張設する、外壁の内側に設ける縦胴縁と内壁側の構造用合板或いは屋根の野地板と屋根材の内側の通気垂木に固定する二つの張出長さの異なる鍔部を設け、この鍔の張出長さに一致する長さで両者を固定する側面を有する固定板を、前記平面のほぼ中央に立設固定する断熱材、壁材、屋根材保持具として課題を解決するものであり、野地板、通気垂木、構造用合板、縦胴縁、横胴縁等への取り付けを可能とするものであり、平板の背面に段差を設けて、同一の単体を互いに反対向きに隙間無く係合させ組み合わせて使用できるものとして構成している。
【選択図】    図４
0003100963.tif 000002
【実用新案登録請求の範囲】
【請求項１】
外張断熱建物の内壁側の構造用合板と外壁或いは屋根の野地板と屋根材との間に設ける断熱材、外装材及び屋根材の落下、移動を防止し、外壁材の内側に設ける縦胴縁又は横胴縁或いは屋根材の内側に設ける通気垂木に一方を固定し他方を内壁側構造合板或いは屋根の野地板に固定する、平板の片面側に張設する張出長さの異なる支持用鍔を前記平板の対抗する側面或いは側面近傍の面上に設け、前記平板の略中央に、前期支持用鍔のそれぞれの長さに一致する立側面で両支持用鍔を固定し傾斜する一側面を形成する固定板を立設固定して成り、前記平板の支持用鍔を設ける面の反対側平面部に部分的に段差を設けて、この段差部において互いに係合して隙間なく背合わせ得る形状を有する壁及び屋根の外張断熱工法に於ける片側鍔付保持具。
【考案の詳細な説明】
【技術分野】
【０００１】  本考案は、建築の外張断熱工法における断熱材或いは外装材、屋根材等の保持具に関するものであり、特に、強化の為に同一物を組み合わせて使用できる保持具に関するものである。
【背景技術】
【０００２】  従来の外張断熱建築物における断熱工法では、柱の外側に下地板と外壁内側に設ける縦胴縁或いは横胴縁間に断熱材を挟み、単に釘等で止めており、その為に生ずる強度不足、熱伝導による壁内部の結露の発生等に関わる建物自体の耐久性を低下させている問題があり、この問題を解消するために、例えば、特開２００２−１２１８３８で開示されている外側断熱ＳＨＭブラケットが公知である。
前記公知のプラスチック材で形成されるブラケットにおいては、垂直の三角部分が外装材の重量を受け、水平の鍔部分が左右の横揺れ防止の役目を果たすもので、耐震性が向上し、且つプラスチックの熱伝導特性でヒートブリッジを小さくして壁部の耐久性を向上させるものである。前記水平の鍔部分は平板の両面側に設けられており、片側の鍔部分を縦胴縁に固定するもので横胴縁への取り付けが困難であるとともに、互いに組み合わせての使用が出来ない構造であるために、比較的小片のブラケット単体で使用する限り、大きな耐震性は期待できず、更なる耐久性のある断熱建築物が求められているのが現状である。
本出願人は上記問題に鑑み、先に、実用新案登録第３０９４６３８号公報に記載の新規な組み合わせブラケットを提案している。
【特許文献１】  特開２００２−１２１８３８
【特許文献２】  実願２００２−８４７９
【考案の開示】
【考案が解決しようとする課題】
【０００３】  前記特許文献２における同一単体を組み合わせて使用し、高強度化を図るブラケットを、更に、使いやすく且つ生産性の高いものとする改良された支持具を提供することを課題としている。
【課題を解決するための手段】
【０００４】  外張断熱建物の外壁内側に設ける縦胴縁、横胴縁或いは屋根材の内側に設ける通気垂木等に、一つの平板の同一面方向に張出して二ヵ所に設ける支持用鍔の一方を固定し、張出長さの異なる他方の支持用鍔を内壁側に設ける構造用合板に固定し或いは屋根の野地板に固定する該支持用鍔を、前記平板の略中央に立設固定する固定版の、前記支持用鍔の張出長さに一致する立側面で固定して成る、外装材、壁材及び屋根材或いは断熱材等を保持する壁材、屋根材保持具であり、前記平板の前記固定板が設けられている面の反対側平面部に段差を形成するものであり、この段差部分の係合により、互いに反対向きに隙間無く、同一単体の二つを一体的に組み合わせることの出来る保持具として課題を解決するものである。
【考案の効果】
【０００５】  本考案に成る保持具を用いる事により、外張断熱建築物の構築における壁材、屋根材等の重力負荷に対する抵抗力を向上させ、鍔の長さを変えることで負荷分散を行い、中間に設ける補強板により断熱材或いは通気層の採用範囲が広がり、熱伝導による熱損失を低減できる効果のほかに、生産が容易となり、且つ施工が格段に容易となる特有の効果を有するものである。
【考案を実施するための最良の形態】
【０００６】  平板の両側同一方向に、縦胴縁、横胴縁及び内壁側構造用合板或いは屋根の通気垂木及び野地板に固定する支持用鍔を立設し、該二つの平面鍔を固定補強する支持立板をほぼ中央部に設ける保持具の、平板の反対側平面部に段差を設けることで、同一単体を互いに背合わせに組み合わせて使用する片側鍔付保持具とするものである。
【実施例１】
【０００７】  以下、図面に示す実施例に従って実施態様を詳述する。
図１及び図４に本保持具の一実施例を示すが、この例では、後述する縦同縁或いは通気垂木が取り付けられるように支持用鍔を平板の両端に設けた保持具である。平板１の表面２側に、その両端側面に張出長さの異なる支持用鍔５及び９を設け、平板１のほぼ中央長手方向に、支持用鍔５，９のそれぞれの張出長さに一致する長さで形成する固定板６を立設してなる壁材、屋根材及び断熱材の保持具であり、平板１の背面３に段差４を設けてある。この段差４を形成する事により、２個の同一単体を互いに背合わせで組み合わせたときに、段差４部分で隙間無く係合できる事になり、保持具の強化を図ることができる事になる。取付用穴８を支持用鍔５，９に穿って構造用合板、縦胴縁、通気垂木等にビスで固定し、断熱材、壁材、屋根材の構成部材を保持するものである。
【実施例２】
【０００８】  図２及び５は、本考案における保持具の他の実施例を示す斜視図である。
平板１の片面両側に設ける支持用鍔５，９の一つの支持用５の両側において、外側に向けて立設する取付立板７により、屋根の通気垂木を挟み込んで固定する保持具とするものであり、固定板６を支持用鍔５及び９間に設けることは前記実施例と同様である。形状的には、平面版の両側を折り曲げて支持用鍔部を形成するもので、その折れ曲がった部分の平板を取付立板７とするものであり、ビス取付用穴８を設けるものである。
本実施例にあっても、平板１の背面３に段差４を設けることが必須の条件であり、２個の同一単体が互いに背合わせに組むときに、隙間無く係合するものである。
【実施例３】
【０００９】  図３及び図６には、更に他の実施例を示す。
斜視図で示す本実施例では、一つの支持用鍔５の片側側面に外側に向けた一つの取付立板７を立設して屋根の通気垂木等を片持ち固定するものとして形成している。平板１の背面３には段差４を設けること或いは固定板６を支持用鍔５及び９間に設けることは前記実施例と同様である。
実施例２において示した保持具にあっては、屋根の通気垂木等の幅に合わせる、定まった間隔の取付立板７により強固に固定することができるが自由度が低く、本実施例では、片持ち固定するものであり、それだけに自由度が高くなっている。
【産業上の利用可能性】
【００１０】  本考案に関わる保持具は、比較的強度の高いプラスチック材を適当に選択し一体成型により極めて容易に生産ができ、コストの要からない部品単体とすることができる他に、場合によっては、耐食性を考慮する軽金属のダイキャストによる生産も可能であり、建築の断熱工法における外装材、断熱材或いは屋根材等の保持具となるものである。
また、段差の形状も長手方向の中心軸に対称であれば自由に選択できる設計上の幅がある。
【図面の簡単な説明】
【００１１】図１は、一実施例を示す前方斜視図である。
図２は、他の実施例の前方斜視図である。
図３は、更に他の実施例を示す前方斜視図である。
図４は、図１における後方斜視図である。
図５は、図２における後方斜視図である。
図６は、図３における後方斜視図である。
【符号の説明】
【００１２】１      平板
２      平板表面
３      平板背面
４      段差
５      支持用鍔
６      固定板
７      取付立板
８      ビス取付用穴
９      支持用鍔
【図１】
0003100963.tif 000003
【図２】
0003100963.tif 000004
【図３】
0003100963.tif 000005
【図４】
0003100963.tif 000006
【図５】
0003100963.tif 000007
【図６】
0003100963.tif 000008
【手続補正書】
【提出日】平成15年11月25日(2003.11.25)
【手続補正１】
【補正対象書類名】明細書
【補正対象項目名】００１１
【補正方法】変更
【補正の内容】
【００１１】    【図１】は、一実施例を示す前方斜視図である。    【図２】は、他の実施例の前方斜視図である。    【図３】は、更に他の実施例を示す前方斜視図である。    【図４】は、「図１」における後方斜視図である。    【図５】は、「図２」における後方斜視図である。    【図６】は、「図３」における後方斜視図である。